(57)【特許請求の範囲】
【請求項１】
プラントに設置される複数のフィールド機器と、
前記プラントとは離れた場所に設置され、前記フィールド機器とは第１のネットワーク経由で接続される１以上のホスト機器と、
前記フィールド機器とは第２のネットワーク経由で接続され、前記ホスト機器と第３のネットワーク経由で接続される端末装置とを備え、
前記端末装置は、
前記フィールド機器と前記第２のネットワーク経由でフィールド通信を行う第１の通信インタフェース部と、前記ホスト機器と前記第３のネットワーク経由で近距離無線通信を行う第２の通信インタフェース部と、前記フィールド機器のいずれかのデータ更新を行う場合、前記第２の通信インタフェース部を介して前記ホスト機器と通信を行い、前記ホスト機器から前記第２の通信インタフェース部を介して更新承認情報を受信し、前記第１の通信インタフェース部を介して前記フィールド機器のデータ更新を行う制御部と、を含むことを特徴とするフィールド機器管理システム。
【請求項２】
前記制御部は、
前記データ更新の際にエラーが発生した場合、前記第２の通信インタフェース部を介して前記ホスト機器にエラーメッセージを送信することを特徴とする請求項１記載のフィールド機器管理システム。
【請求項３】
前記端末装置は、
表示部を更に備え、
前記制御部は、
前記ホスト機器から前記第２の通信インタフェース部を介してメッセージを受信すると、前記メッセージを前記表示部に表示させることを特徴とする請求項１または２記載のフィールド機器管理システム。
【請求項４】
前記制御部は、
前記データ更新を行った場合、前記第２の通信インタフェース部を介して前記ホスト機器に前記データ更新の履歴情報を送信し、
前記第３のネットワーク経由で前記履歴情報を受信したホスト機器は、前記履歴情報に基づき自身のデータ更新を行ない内部データの同期をとることを特徴とする請求項１から３のいずれか１項に記載のフィールド機器管理システム。
【請求項５】
前記制御部は、
前記第１の通信インタフェース部を介して前記フィールド機器にアクセス可能な状態になると、前記第２の通信インタフェース部を介し、前記ホスト機器に対して特定のループに接続したことを通知することを特徴とする請求項１から４のいずれか１項記載のフィールド機器管理システム。
【請求項６】
前記端末装置は、記憶部を更に備え、
前記制御部は、
前記ホスト機器が前記フィールド機器のデータ更新を行った場合、前記ホスト機器から前記第３のネットワーク経由で前記データ更新の履歴情報を受信し、前記受信した履歴情報に基づき前記記憶部のデータ更新を行ない、内部データの同期をとることを特徴とする請求項１から３のいずれか１項に記載のフィールド機器管理システム。
【発明の詳細な説明】
【技術分野】
【０００１】
本発明は、プラント等のプロセス制御に用いて好適な、フィールド機器管理システムに関する。
【背景技術】
【０００２】
例えば、化学プラントなどのプロセス制御では、圧力伝送器、温度伝送器、流量計およびバルブポジショナなどのフィールド機器に対する設定、調整などの制御を行う機器制御装置（以下、「ホスト機器」という）が用いられる。
【０００３】
ホスト機器には、ＤＣＳ（Distributed Control System）、ＰＣ（Personal Computer）および携帯端末などがあり、例えば、フィールドバスを介してフィールド機器に接続され、デジタル通信を行う。機器制御を実行するにあたり、設定機能、調整機能などの複数の制御機能があり、ホスト機器は、各種制御機能を実行することによってフィールド機器を制御する。
【０００４】
図９にフィールド機器管理システム１００の一例が示されている。プラント４００内には複数のフィールド機器３１０が設置されている。フィールド機器３１０は、フィールトバス３３０等によるフィールド通信により、中継装置３００に接続され、更に、ＬＡＮ（Local Area Network）等のネットワーク２２０経由で計器室２００に設置されたホスト機器２１０に接続される。
【０００５】
ところで、現場作業員が、フィールド機器３１０に対し、データのモニタ、設定変更、各種保守等の作業を実施する場合、フィールド機器３１０の作業に精通している必要がある。工場によっては認定制度等があり、一定のスキルを有した作業員のみにその作業が許される。また、新しいフィールド機器３１０を導入した場合、パラメータが異なる等、すぐに精通することが難しいのが現状である。そのため、大量の技術資料や現場記録用のカメラ３１１を持参し、あるいは特定のエリアから携帯電話３１３やトランシーバー等を利用して計器室２００にいる作業員の指示を受けて作業を行なったりすることもある。
【０００６】
フィールド機器３１０が新しくなって作業員が精通していないフィールド機器３１０に対して、ＨＨＴ３１２（Hand Held Terminal）等の端末装置から設定変更を行う場合、不慣れな作業になるため、誤った設定を行ってしまう場合がある。設定の仕方や設定パラメータが不明確な場合、計器室２００にいる作業員に、持参した携帯電話３１３やトランシーバーなどで作業内容を確認し、あるいは危険な現場での作業は、進捗状況を逐次報告する場合もある。
【０００７】
現場作業員は、慣れないフィールド機器３１０を扱う場合、不安や心配といった緊張を抱くため多大な疲労を感じる。仮に、設定ミスが発生した場合、プロセス全体に影響がでる。システムには膨大なパラメータが搭載されているため、直ちに不具合を発見することが困難であり、特定の動作時だけで発生する不具合などの場合、運転が開始されてから初めて把握できる場合もある。いずれにせよ、設定変更を記したメモや写真、変更内容ログなどを解析して、初めてパラメータの設定ミスを発見することになり、膨大な分析作業を有することがある。
【０００８】
例えば、特許文献１に、設定処理のための作業負担を軽減可能なフィールド機器の設定方法、およびフィールド機器の設定システムに関する技術が開示されている。
【先行技術文献】
【特許文献】
【０００９】
【特許文献１】特開２０１３−７７１９７号公報
【発明の概要】
【発明が解決しようとする課題】
【００１０】
近年、ＨＨＴ３１２として高性能な端末装置を利用する場合が多く、膨大な情報を記録しているため、逆に不具合箇所を検出するのに時間がかかる場合もある。従来、現場作業員がフィールド機器に対して設定変更を行った場合、一般的にホスト機器２１０は変更の事実を把握できず、ホスト機器２１０との間で設定値に対して互換がとれなくなる場合がある。また、通信プロトコルによって変更されたことがわかるステータス情報を有している場合もあるが、どのパラメータが変更されたかは不明である。この場合、ホスト機器２１０は、対象となるフィールド機器の情報を再読込みしてデータを同期させる必要があり、わずかなパラメータ変更であるにも関わらず、工業用低速通信（フィールド通信３３０）の負荷増大を招き、時間と労力を費やしている。
【００１１】
また、現場で不具合があった場合、写真を撮ることがある。しかし膨大なフィールド機器３１０の写真を撮る場合、後にデータ整理するとき、どの写真がどのフィールド機器３１０に対応するのか判断がつきにくい場合が多い。この場合、銘板を確認し、あるいはファイル名に紐付けしたりしているが、入力ミスが発生しやすいという問題があった。
【００１２】
本発明は上記した諸々の課題を解決するためになされたものであり、フィールド機器に対する設定変更の際の現場作業員の負荷を減らし、かつ、ホスト機器との間の連携によるデータ保全が可能な、フィールド機器管理システムを提供することを目的とする。
【課題を解決するための手段】
【００１３】
上記した課題を解決するために本発明のフィールド機器管理システムは、プラントに設置される複数のフィールド機器と、前記プラントとは離れた場所に設置され、前記フィールド機器とは第１のネットワーク経由で接続される１以上のホスト機器と、前記フィールド機器とは第２のネットワーク経由で接続され、前記ホスト機器と第３のネットワーク経由で接続される端末装置とを備え、前記端末装置は、前記フィールド機器と前記第２のネットワーク経由でフィールド通信を行う第１の通信インタフェース部と、前記ホスト機器と前記第３のネットワーク経由で近距離無線通信を行う第２の通信インタフェース部と、前記フィールド機器のいずれかのデータ更新を行う場合、前記第２の通信インタフェース部を介して前記ホスト機器と通信を行い、前記ホスト機器から前記第２の通信インタフェース部を介して更新承認情報を受信し、前記第１の通信インタフェース部を介して前記フィールド機器のデータ更新を行う制御部と、を含むことを特徴とする。
【００１４】
本発明において、前記制御部は、前記データ更新の際にエラーが発生した場合、前記第２の通信インタフェース部を介して前記ホスト機器にエラーメッセージを送信することを特徴とする。
【００１５】
本発明において、前記端末装置は、表示部を更に備え、前記制御部は、前記ホスト機器から前記第２の通信インタフェース部を介してメッセージを受信すると、前記メッセージを前記表示部に表示させることを特徴とする。
【００１６】
本発明において、前記制御部は、前記データ更新を行った場合、前記第２の通信インタフェース部を介して前記ホスト機器に前記データ更新の履歴情報を送信し、前記第３のネットワーク経由で前記履歴情報を受信したホスト機器は、前記履歴情報に基づき自身のデータ更新を行ない内部データの同期をとることを特徴とする。
【００１７】
本発明において、前記制御部は、前記第１の通信インタフェース部を介して前記フィールド機器にアクセス可能な状態になると、前記第２の通信インタフェース部を介し、前記ホスト機器に対して特定のループに接続したことを通知することを特徴とする。
【００１８】
本発明において、前記端末装置は、記憶部を更に備え、前記制御部は、前記ホスト機器が前記フィールド機器のデータ更新を行った場合、前記ホスト機器から前記第３のネットワーク経由で前記データ更新の履歴情報を受信し、前記受信した履歴情報に基づき前記記憶部のデータ更新を行ない、内部データの同期をとることを特徴とする。
【発明の効果】
【００１９】
本発明によれば、フィールド機器に対する設定変更の際の現場作業員の負荷を減らし、かつ、ホスト機器との間の連携によるデータ保全が可能なフィールド機器管理システムを提供することができる。
【図面の簡単な説明】
【００２０】
【図１】本発明の実施の形態に係るフィールド機器管理システムのシステム構成の一例を示す図である。
【図２】図１の端末装置の内部構成を示すブロック図である。
【図３】本発明の実施の形態に係るフィールド機器管理システムの変更承認処理の流れを示す動作シーケンス図である。
【図４】図１のホスト機器に表示される承認画面の画面構成の一例を示す図である。
【図５】本発明の実施の形態に係るフィールド機器管理システムの現場作業員の活動監視処理の流れを示す動作シーケンス図である。
【図６】図１のホスト機器に表示される承認画面の画面構成の一例を示す図である。
【図７】本発明の実施の形態に係るフィールド機器管理システムの設定情報の同期処理の流れを示す動作シーケンス図である。
【図８】図１のホスト機器に表示される承認画面の画面構成の一例を示す図である。
【図９】従来のフィールド機器管理システムのシステム構成の一例を示す図である。
【発明を実施するための形態】
【００２１】
（実施形態の構成）
以下、添付図面を参照して、本発明を実施するための形態（以下、「実施形態」という。）について詳細に説明する。なお、実施形態の説明の全体を通して同じ要素には同じ番号を付している。
【００２２】
図１によれば、本実施形態に係るフィールド機器管理システム１は、プラント１０に設置されるバルブポジショナ等の複数のフィールド機器１１と、プラント１０とは離れた場所に設置され、フィールド機器１１とは、中継装置３０およびＬＡＮ等のネットワーク２２（第１のネットワーク）経由で接続される１以上のＰＣ等のホスト機器２１と、により構成される。
【００２３】
ＨＨＴ１２（端末装置）は、フィールド機器１１のループに対して工業計器専用の通信（Ｂｒａｉｎ，ＨＡＲＴ，Ｆｉｅｌｄｂｕｓ，Ｐｒｏｆｉｂｕｓ等があり、以下、これらを総称してフィールド通信１３（第２のネットワーク）という）が結合される。ＨＨＴ１２は、更に、Ｗｉ−Ｆｉ（登録商標）ネットワーク１４（第３のネットワーク）によりＷｉ−Ｆｉ親機１５（アクセスポイント）、およびネットワーク２２経由でホスト機器２１に接続される。ＨＨＴ１２は、複数のフィールド機器１１のいずれかの設定変更に伴うデータ更新を行う場合、Ｗｉ−Ｆｉ親機１５、及びＬＡＮ等のネットワーク２２経由でホスト機器２１と通信を行い、ホスト機器２１からネットワーク２２およびＷｉ−Ｆｉ親機１５経由で更新承認情報を受信してデータ更新を行う。
【００２４】
ＨＨＴ１２の内部構成が図２に示されている。ＨＨＴ１２は、制御部１２０と、記憶部１２１と、入力部１２２と、表示部１２３と、フィールド通信部１２４（第１の通信インタフェース部）と、近距離無線通信部１２５（第２の通信インタフェース部）と、電池１２６とを含み、構成される。
【００２５】
記憶部１２１には、ＲＯＭ，ＲＡＭ，あるいはＥＥＰＲＯＭが実装されており、ＲＯＭには、制御部１２０が実行するプログラムが、ＲＡＭ，あるいはＥＥＰＲＯＭには、プログラム実行過程でのデータが格納される。なお、ＲＯＭ，ＲＡＭは、制御部１２０に実装されてもよい。
【００２６】
制御部１２０はマイクロプロセッサを内蔵し、入力部１２２からの電源ＯＮ操作に基づき、電池１２６から電力の給電をうけて起動する。制御部１２０は、生成された表示情報を表示部１２３に転送し、これを視認した現場作業員が期待する動作を選択する。表示部１２３は、ＬＣＤ（Liquid Crystal Display）や有機ＥＬ（Electro Luminescence）を表示デバイスとして有し、ホスト機器２１から送信されるメッセージ等も表示する。
【００２７】
フィールド通信部１２４は、フィールドバス通信モジュールを内蔵し、ＨＨＴ１２がフィールド通信１３に結合され、フィールド機器１１との間でデータ交換を行う際の通信インタフェースを司る。近距離無線通信部１２５は、Ｗｉ−Ｆｉ親機１５との間で、例えばＷｉ−Ｆｉ（登録商標）に準拠した無線通信を行う。近距離無線通信部１２５は、Ｗｉ−Ｆｉ通信モジュールを内蔵し、プラント１０内の任意の場所に設置されたＷｉ−Ｆｉ親機１５との間で構築されるＷｉ−Ｆｉネットワーク１４により、計器室２０に設置されたホスト機器２１とＬＡＮ等のネットワーク２２で結合され、ＴＣＰ／ＩＰ（Transmission Control Protocol／Internet Protocol）等のプロトコルにしたがい通信を行う。
【００２８】
制御部１２０は、複数のフィールド機器１１のいずれかのデータ更新を行う場合、近距離無線通信部１２５とＷｉ−Ｆｉ親機１５からなるＷｉ−Ｆｉ通信ネットワーク１４、およびＬＡＮ等のネットワーク２２を介してホスト機器２１と通信を行い、ホスト機器２１から更新承認情報を受信し、フィールド通信部１２４、およびフィールド通信１３を介してデータ更新を行う。制御部１２０は、データ更新の際にエラーが発生した場合、Ｗｉ−Ｆｉネットワーク１４経由でホスト機器２１にエラーメッセージを送信してもよい。また、制御部１２０は、ホスト機器２１からＷｉ−Ｆｉネットワーク１４経由でメッセージを受信すると、そのメッセージを表示部１２３に表示してもよい。
【００２９】
また、制御部１２０は、フィールド機器１１のデータ更新を行った場合、Ｗｉ−Ｆｉネットワーク１４経由でホスト機器２１にデータ更新の履歴情報を送信し、その履歴情報を受信したホスト機器２１は、履歴情報に基づき自身のデータ更新を行ない内部データの同期をとる。また、制御部１２０は、ホスト機器２１がデータ更新を行った場合、ホスト機器２１からＷｉ−Ｆｉネットワーク１４経由でデータ更新の履歴情報を受信し、受信した履歴情報に基づき記憶部１２１のデータ更新を行ない、内部データの同期をとる。
【００３０】
また、制御部１２０は、フィールド通信部１２４を介してフィールド機器１１にアクセス可能な状態になると、Ｗｉ−Ｆｉネットワーク１４を介し、ホスト機器２１に対して特定のループに接続したことを通知してもよい。
【００３１】
（実施形態の動作）
以下、本実施形態に係るフィールド機器管理システム１の動作について図３以降のシーケンス図を参照しながら詳細に説明する。
【００３２】
まず、図３のシーケンス図を参照してデータ変更の承認処理から説明する。すなわち、プラント１０内の現場作業員がフィールド機器１１に対して設定データの書き込みを行う場合、計器室２０にいる作業員に承認を得て実際の設定データの書き込みを行う場合の動作について説明する。
【００３３】
現場作業員がフィールド通信１３を使用して特定のパラメータの書き換えを行う場合（ステップＳ１０１）、ＨＨＴ１２は、Ｗｉ−Ｆｉネットワーク１４を使って計器室２０にあるホスト機器２１に確認メッセージ（書き込み承認依頼）を送信する。ホスト機器２１が、その確認メッセージを受信すると、例えば、図４にその画面構成の一例を示す承認要求画面を表示してする（ステップＳ１０２）。承認要求画面には、一部領域に、承認ボタンや否決ボタン等が割り付けられ表示されている。なお、承認要求画面の詳細は後述する。
【００３４】
計器室２０の作業員は、内容を確認し、精査して承認する場合は承認ボタンを押下する（ステップＳ１０３）。承認結果は、Ｗｉ−Ｆｉネットワーク１４経由で現場作業員が持つＨＨＴ１２で受信される。承認を得たＨＨＴ１２は、表示部１２３に承認完了メッセージを表示すると共に（ステップＳ１０４）、フィールド機器１１に対して承認された新設定値を、フィールド通信１３を使用して書き込む（ステップＳ１０５）。なお、否決ボタンが押下されて承認が拒絶された場合、ＨＨＴ１２はフィールド機器１１に対して新設定値を書き込むことができない。
【００３５】
ＨＨＴ１２は、新設定値の書き込みが終了すると、Ｗｉ−Ｆｉネットワーク１４経由でホスト機器２１に書き込みが正常終了したことを通知する（ステップＳ１０６）。
【００３６】
ホスト機器２１は、正常終了を受信すると（ステップＳ１０７）、対象のフィールド機器１１に対して設定変更が正しく実行されたか否かを確認するために、ネットワーク２２、中継装置３０およびフィールド通信１３を使用してフィールド機器１１から直接データを取得する（ステップＳ１０８）。フィールド機器１１がデータを返信すると（ステップＳ１０９）、ホスト機器２１は、読み出した設定値が、予め承認された設定値になっているか否かを比較判定して、ホスト機器２１の端末に設定変更完了等のメッセージを表示する（ステップＳ１１０）。
【００３７】
なお、フィールド機器１１への書き込みが失敗した場合、ＨＨＴ１２の表示部１２３にエラーメッセージが表示されるとともに、Ｗｉ−Ｆｉネットワーク１４経由でホスト機器２１の端末に対してもエラーメッセージが表示される。また、ホスト機器２１からＨＨＴ１２に対し、メモ、写真、ドキュメント等をＷｉ−Ｆｉネットワーク１４経由で転送することが出来るため、上記の様に書き込みエラーとなった場合の解決策を画面に表示し、あるいは指示することができる。
【００３８】
ここで、承認要求画面について補足する。ホスト機器２１は、承認要求画面の左上領域に表示される、ＨＨＴ１２からＷｉ−Ｆｉネットワーク１４経由で送信される情報をもとに、端末名、対象機器名、パラメータ名、データ名、設定値等を生成して表示する。図中、承認（ＯＫ）、否決（ＮＧ）ボタンは、ＨＨＴ１２から要求がある場合に限り有効化され、普段は、グレーアウトされている。「コメント入力ｏｒ送信されるファイル名」は、コメントや関連資料をＨＨＴ１２に送付する場合に利用する。画面右上領域には、ホスト機器２１からフィールド通信を経由してフィールド機器１１と通信を行う場合に用いる領域であり、機器名、パラメータ名、データ等を生成し、表示する（図示省略）。ここでは、リクエストしたい機器名、パラメータ名を設定し、送信ボタンをクリックすることで通信を開始することができる。なお、画面下領域のボックスには、通信ログが表示される。表示は、番号（Ｎｏ）、日付、時間、端末名、対象機器名（アクセスされるフィールド機器名）、パラメータ名、処置（講じる処置内容）、データ／設定値、旧値（書き込みに利用）、ステータス等が表示される。処置には、Ｒｅａｄ（フィールド機器のパラメータの読み出し），Ｗｒｉｔｅ（フィールド機器のパラメータの書き込み），Ｓｅｎｄ（端末、ホスト機器との情報交換），Ｊｕｄｇｅ（端末からの承認依頼）等の通信目的が示される。
【００３９】
なお、パラメータにおいて、基本的にはブロック（所属する中分類）＞名称と記述するが、ホスト機器２１とＨＨＴ１２間における通信においては、＞記号を使わない。内容は、ＣＯＮＦＩＲＭ（承認要求に対する裁定結果をＨＨＴ１２に行う），Ｊｏｉｎ（フィールド機器との通信開始），ＲＥＰＯＲＴ（ホスト機器２１がフィールド機器１１に対して書き込みを実行したことをＨＨＴ１２に転送），ＡＣＫ（ＨＨＴ１２がホスト機器２１からのＲＥＰＯＲＴを受信、更新したことを通知）等である。また。ステータスについて、基本的に動作を簡素化して記載する。（自動）と記載されているところは、ホスト機器２１、もしくは端末同士が自動的に通信を開始した場合に記述される。
【００４０】
上記したように本実施形態に係るフィールド機器管理システム１は、現場作業員がＨＨＴ１２を操作してフィールド機器１１に対してデータの書き込みを行う場合、Ｗｉ−Ｆｉネットワーク１４を用いてホスト機器２１の管理者等に設定変更の承認を打診する機能を持つ。したがって、現場作業員がパラメータの書き換え等を実行する場合、操作ミスは勿論のこと、勘違い等で間違ったパラメータを書き込む可能性があったが、書き込む前にＷｉ−Ｆｉネットワーク１４を利用して変更内容をホスト機器２１に送信し、別の作業員の判断（承認作業）を仰ぐことができる。その結果、複数人で確認作業を行うことができ、したがって、誤ったデータの書き込みを未然に防ぐ効果がある。
【００４１】
また、本実施形態に係るフィールド機器管理システム１によれば、ホスト機器は、データの書き込みが正常に実行されたか否かの情報も受信できるため、現場作業員が正常に書き込めたと勘違いした場合でも、計器室２０にいる作業員と情報を共有できることからケアレスミスを未然に防ぐ効果もある。さらに、対象となるフィールド機器１１の変更により制御ループに変化が発生し、その結果、別の作業員が対応しているフィールド機器１１に影響が出ることも考えられるが、計器室２０で承認できる仕組みを構築することにより、複数のフィールド機器１１からの変承認が整うまで書き込みを待機させ、あるいは、各フィールド機器１１への書き込み順（承認順）等をコントロール出来るといった効果も得られる。
【００４２】
また、フィールド機器１１への書き込みエラーが発生した場合、現場作業員は何が原因で書き込みができないかを把握することが難しい。本実施形態に係るフィールド機器管理システム１によれば、書き込みエラーが発生した場合に、Ｗｉ−Ｆｉネットワーク１４を用いてホスト機器２１にもエラーメッセージを送信する機能を提供することで、計器室２０内では各種リファレンスを参照し、あるいは、メーカーのサポートセンターと会話し（現場作業員が現場から直接連絡を取ることは難しい）、有識者と相談する等、多くの解決策を打診することができ、エラーに対する対処方法を即座に発見することが可能になる。
【００４３】
また、本実施形態に係るフィールド機器管理システム１によれば、解決策が見出された場合、ホスト機器２１から、Ｗｉ−Ｆｉネットワーク１４を使ってＨＨＴ１２にメッセージを送信することができ、情報をＨＨＴ１２に表示させることが出来るため、例えば、解決策の手順や関連資料、写真等を転送することができ、現場作業員は、ＨＨＴ１３に表示された指示を明確に確認できるといった効果も期待できる。
【００４４】
次に、図５のシーケンス図を参照して、現場作業員がフィールド機器１１に対して行った作業内容を計器室２０にいる作業員もリアルタイムに共有する場合の動作を説明する。ここでは、プラント１０内の現場作業員がフィールド機器１１に対し、シミュレータを用いて出力値の確認やフィールド機器１１のアラームがどの様に変化するかを確認する作業について例示する。
【００４５】
現場作業員は、まず、フィールド機器１１にシミュレータを接続して入力値を可変に出来るように設定する。例えば、０％出力となる入力値を設定し、ＨＨＴ１２を用いて出力値を確認する（ステップＳ２０１）。フィールド機器１１は、リクエストされたパラメータを読み出して返信すると（ステップＳ２０２）、ＨＨＴ１２は、受信したパラメータを表示部１２３に表示する。そして、受信した画面、あるいは実際に通信したデータを、Ｗｉ−Ｆｉ通信により計器室２０のホスト機器２１に転送する（ステップＳ２０３）。
【００４６】
ホスト機器２１は、ＨＨＴ１２の画面と端末で操作した結果得られた通信パラメータのデータを画面に表示し、また、内蔵するメモリにログとして記録する（ステップＳ２０４〜Ｓ２０６）。次に、ホスト機器２１は、フィールド機器１１に対してアラームが発生していないか、同様の手順で確認する（ステップＳ２０７）。ここでは複数のパラメータを読む必要がある場合、順次、ＨＨＴ１２から取得したデータを確認する（ステップＳ２０８〜Ｓ２１２）。ＨＨＴ１２で操作した手順も含めて、ホスト機器２１の端末（図示省略）に表示され、メモリにデータと共にログとして記録する。ログの更新タイミングは、定時更新データや、アラーム発生のイベント等、ＨＨＴ１２が通信を自動受信したときであり、このとき、現場作業員が行った操作時にログ化し、ホスト機器２１とリアルタイムに情報を共有する。
【００４７】
このことにより、計器室２０の作業員は、現場のＨＨＴ１２の内容を視覚的に確認することが出来、またホスト機器２１は、直接現場のフィールド機器１１をネットワーク２２、フィールド通信１３経由でアクセス出来るため、一方ではＨＨＴ１２の操作ログを確認でき、他方では別経路から直接フィールド機器１１のパラメータの状態を確認することができる。ホスト機器２１、ＨＨＴ１２は、これらの情報をすべて同期させることで、現場作業員と計器室作業員が連携を取り、間違いない作業を確認し、すべての活動をメモリに保存することができる。
【００４８】
図６に、ホスト機器２１により生成される承認要求画面の一例が示されている。この承認要求画面によれば、現場作業員が、Ｓｉｍｕｌａｔｅ  Ｖａｌｕｅにデータ設定し、計器室２０のオペレータは、Ｐｒｉｍａｒｙ  Ｖａｌｕｅの値を読み込むことで、フィールド機器１１の出力が徐々に低下しているのがわかる。現場作業員は、バルブ等、フィールド機器１１の実物を確認し、最後に、Ａｌａｒｍ１，Ａｌａｒｍ２の関連パラメータを追加で読み込み、動作が正常であることを確認している。
【００４９】
上記した本実施形態に係るフィールド機器管理システム１によれば、ＨＨＴ１２で操作した内容やフィールド機器１１に対してアクセスしたパラメータ等の操作履歴をＷｉ−Ｆｉネットワーク１４を使ってホスト機器２１に送信し、同期させる機能を提供することができる。一般的に、ＨＨＴ１２はコンパクトな設計であり、大容量のメモリを搭載することが難しい。したがって、一定の操作履歴を残すことが出来ても、古い操作履歴は自動的に消去されることが多い。これに対し、本実施形態のフィールド機器管理システム１では、Ｗｉ−Ｆｉネットワーク１４に接続しているため、操作履歴をホスト機器２１とリアルタイムで同期させることが出来る。
【００５０】
このため、計器室２０の作業員は、プラント１０内の現場作業員が、今何を行っているのか、どのような作業状況になっているのかを容易に把握することができる。例えば、フィールド機器１１の入出力確認などを行う場合、フィールド機器１１にシミュレータ疑似入力を行い、ＨＨＴ１２で読み出された出力値は、Ｗｉ−Ｆｉネットワーク１４を経由して、ホスト機器２１に表示させることが出来る。したがって、単に出力値が正しいといった結果だけではなく、実際に入力を変化させるところから時系列的に把握でき、プラント１０内における現場作業員の行動が計器室２０でも確認できる効果がある。なお、画面イメージや通信情報は、時刻や作業員名などと共にデータベース形式にしてまとめることができる。
【００５１】
また、ホスト機器２１は、ネットワーク２２を用いて直接フィールド機器１１と通信することが出来るため、プラント１０内における現場作業員のＨＨＴ１２の情報と、ホスト機器２１自らがフィールド機器１１から取得したデータとを比較し、閲覧することが出来るため、ＨＨＴ１２では操作が難しい広範囲なパラメータを取得し、間違えがないか作業を監視し、総合的なバックアップが可能になる。メンテナンス側から見れば、このような操作履歴、データログは一定期間保存しておく必要があり、これらをデータベース化することで実現され、リアルタイム性とログとしての充実を同時に兼ね備えることができる。
【００５２】
次に、図７を参照してホスト機器２１がデータを更新した場合にＨＨＴ１２と同期をとる場合の動作について説明する。ここでは、現場作業員が特定のループ内にＨＨＴ１２を接続した場合、いわゆるマルチマスター状態になった場合のフィールド機器１１のパラメータのデータの同期の方法について説明する。
【００５３】
特定のループ内にＨＨＴ１２が結合された場合、ＨＨＴ１２（制御部１２０）は、Ｗｉ−Ｆｉネットワーク１４を経由してホスト機器２１に対し特定のループに参加（バス接続）したことを通知する（ステップＳ３０１）。この通知を受けたホスト機器２１は（ステップＳ３０２）、その特定のループ内のフィールド機器１１に対して書き込みを行う（ステップＳ３０３）。ここで、正常に書き込めた場合は、Ｗｉ−Ｆｉネットワーク１４経由でＨＨＴ１２にフィールド機器１１のパラメータを変更した旨を伝達する（ステップＳ３０４〜Ｓ３０６）。
【００５４】
ＨＨＴ１２は、その情報を元に、内部で保有しているパラメータを更新し、フィールド機器１１の状態を改めてフィールド通信１３を用いることなく最新の状態に更新する（ステップＳ３０７）。変更現場作業員に対しても、ＨＨＴ１２の表示部１２３の画面にメッセージを表示し、ホスト機器２１から書き換えがあり、どのパラメータにどのような変更があったかを示す（ステップＳ３０８）。最後に、計器室作業員は、図示省略した端末で、現場でのパラメータの更新完了を確認し（ステップＳ３０９）、終了する。
【００５５】
ＨＨＴ１２をフィールド機器１１のあるループに接続する場合、通常、専用のホスト機器２１（マスター機器）と同時に接続されている場合が多い。プロトコルによってはＨＨＴ１２をセカンダリマスタとして接続できる仕様を有しているため、複数のホスト機器２１が接続される場合、フィールド機器１１はいずれのホスト機器２１からもアクセスでき、特定のパラメータを変更させることができる。
【００５６】
図８に、ホスト機器２１により生成される承認要求画面の一例が示されている。ＨＨＴ端末１２が特定の機器と接続したことをホスト機器２１に対してＷｉ−Ｆｉネットワーク１４経由で伝達すると、ホスト機器は、モニタ画面とログ機能が利用できるようになる。ここでは、ホスト機器２１からフィールド機器１１に対して書き込みを実行したため、現場端末に対してレポートを送信し、端末側のデータベースが更新できたことが返送されている。
【００５７】
本実施形態に係るフィールド機器管理システム１では、ＨＨＴ１２が現場のフィールド機器１１にアクセス出来る状態になると、Ｗｉ−Ｆｉネットワーク１４経由で特定のループに接続したことをホスト機器２１に通知できる機能を備えている。その結果、ホスト機器２１からフィールド機器１１の設定を変更した場合、セカンダリマスタに対して設定変更したことを通知することが出来る。
【００５８】
従来、設定変更があったか否かわからないため、またプロトコルによって変更発生のステータス情報が包含され認識出来たとしてもどのパラメータが変更されたかわからず、したがって、フィールド機器１１から全てのパラメータを再読込もみする必要があった。特に、ＨＨＴ１２において編集途中で発生すると、編集内容を強制的に破棄して、ＨＨＴ１２は、データの同期をとってから再度編集することもあった。これに対し、本実施形態によれば、特定のパラメータの変更情報をＷｉ−Ｆｉネットワーク１４経由で受信できることから、ＨＨＴ１２内の情報更新を速やかに行うことが出来、内部データの同期をとることで、古い情報を書き込んでしまうことを未然に防ぐことができる。逆に、ＨＨＴ１２からの書き込みに対してもＷｉ−Ｆｉネットワーク１４経由でその旨を送信できるため、ホスト機器２１からみても特定のパラメータ変更を認識することが出来、ホスト機器２１が保持しているデータベースを速やかに更新することができる。
【００５９】
（実施形態の効果）
以上説明のように本実施形態に係るフィールド機器管理システム１によれば、ＨＨＴ１２がフィールド機器１１に対してデータ書き込みを行う場合、Ｗｉ−Ｆｉネットワーク１４経由でホスト機器２１の管理者等に設定変更の承認伺いを行う仕組みを構築することにより、複数人で確認作業を行うことができ、したがって、誤ったデータの書き込みを未然に防ぐことができ、システムの信頼性が向上する。
【００６０】
また、ＨＨＴ１２で操作した内容やフィールド機器１１に対してアクセスしたパラメータ（Ｒｅａｄ／Ｗｒｉｔｅなど）の内容をＷｉ−Ｆｉネットワーク１４を使ってホスト機器に送信することで、あるいは、ホスト機器２１が更新したデータをＷｉ−Ｆｉネットワーク１４を使ってＨＨＴ１２に送信することで、ＨＨＴ１２とホスト機器２１とが有するデータの同期化が可能であり、したがって、ＨＨＴ１２、ホスト機器２１共に常に最新のデータを保持することができる。したがって、両者が保持するデータの差異による誤動作が無くなり、データの保全性が保証されるとともに信頼性の向上がはかれる。
【００６１】
また、本実施形態に係るフィールド機器管理システム１によれば、ＨＨＴ１２が現場のフィールド機器１１にアクセス出来る状態になると、Ｗｉ−Ｆｉネットワーク１４経由で特定のループに接続したことをホスト機器２１に通知できるため、ホスト機器２１からフィールド機器１１の設定が変更された場合、セカンダリマスタに対してもその旨を通知することが出来る。また、特定のパラメータの変更情報をＷｉ−Ｆｉネットワーク１４経由で受信できるため、ＨＨＴ１２内の情報更新を速やかに行うことが出来、内部データの同期をとることで、古い情報を書き込んでしまうータのことを未然に回避することが出来、データの保全性が保証されるとともにシステムとしての信頼性が向上する。
【００６２】
なお、本実施形態に係るフィールド機器管理システム１によれば、Ｗｉ−Ｆｉネットワーク１４が搭載されているため、複数のＨＨＴ１２は、それぞれ他のＨＨＴと情報交換させることが出来る。また、ホスト機器２１をクラウド化し蓄積されたデータベースをアクセスすることで別の作業員の進行状況を操作ログから確認することも可能である。なお、ホスト機器２１との近距離無線通信のためにＷｉ−Ｆｉネットワーク１４を使用するものとして説明したが、Ｗｉ−Ｆｉネットワーク１４に限らず、無線ＬＡＮ、Ｂｌｕｅｔｏｏｔｈ（登録商標）、Ｚｉｇｂｅｅ（登録商標）等により代替してもよい。
【００６３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６４】
１…フィールド機器管理システム、１１…フィールド機器、１２…ＨＨＴ（端末装置）、１３…フィールド通信（第２のネットワーク）、１４…Ｗｉ−Ｆｉネットワーク（第３のネットワーク）、１５…Ｗｉ−Ｆｉ親機、２１…ホスト機器、２２…ネットワーク（第１のネットワーク）、１２０…制御部、１２１…記憶部、１２３…表示部、１２４…フィールド通信部、１２５…近距離無線通信部
【図１】
0005971282.tif 000002
【図２】
0005971282.tif 000003
【図３】
0005971282.tif 000004
【図４】
0005971282.tif 000005
【図５】
0005971282.tif 000006
【図６】
0005971282.tif 000007
【図７】
0005971282.tif 000008
【図８】
0005971282.tif 000009
【図９】
0005971282.tif 000010